(57)【要約】【課題】パネルユニットの取り外し前にパネルユニットへの電力供給を停止することで、本体ユニットからパネルユニットを取り外すときにサージ電流などのノイズに起因して故障等の不具合が生じることを回避できる監視制御装置を提供する。【解決手段】本体ユニット６にパネルユニット７が装着された状態で、パネルユニット７の操作入力部３の操作に応じて電源回路１０から本体側コネクタ６８への通電状態を制御する通電制御手段２０を本体ユニット６に設ける。通電制御手段２０は、操作入力部３で所定の操作入力があった場合に、電源回路１０と本体側コネク６８との間に挿入された通電スイッチ２２をオフしてパネルユニット７への電力供給を停止する。【選択図】図１
2010187224.tif 000002
【特許請求の範囲】
【請求項１】
通信によって負荷の監視制御を行う遠隔監視制御システムに用いられ、壁に固定される本体ユニットと、本体ユニットの前面側に着脱可能に装着されるパネルユニットとに分割され、本体ユニットには、駆動用電力を出力する電源回路と、複数の負荷を監視制御対象として通信コマンドを伝送する通信回路とを備え、パネルユニットには、文字および図形を表示可能な表示パネルと、ユーザによる操作入力を受け付ける操作入力部と、表示パネルの表示内容に関連付けられている操作入力部の操作入力に応じた負荷制御および負荷状態に応じた画面表示を表示パネルに行わせる制御部とを備えた監視制御装置であって、パネルユニットは、本体ユニットの前面側に設けられているコネクタと電気的に接続されるコネクタと、所定の操作入力を受け付ける終了操作部とを有し、本体ユニットへの装着時に両コネクタを介して電源回路から電力供給を受け、本体ユニットは、パネルユニットの装着時において終了操作部での所定の操作入力に応答して電源回路からパネルユニットへの電力供給を停止する通電制御手段を有することを特徴とする監視制御装置。
【請求項２】
前記終了操作部は前記パネルユニットのうち前記本体ユニットへ装着された状態で露出する一表面に操作子が設けられた終了用スイッチからなり、前記通電制御手段は、終了用スイッチの操作子が操作されたことによる操作入力に応答してパネルユニットへの電力供給を停止することを特徴とする請求項１記載の監視制御装置。
【請求項３】
前記操作入力部は前記終了操作部に兼用されていることを特徴とする請求項１記載の監視制御装置。
【請求項４】
前記パネルユニットは、前記本体ユニットに対して機械的に結合されるとともに解除釦の操作によって前記結合が解除される取付手段を有し、解除釦はパネルユニットのうち前面と交差する周面に設けられており、前記終了用スイッチの前記操作子は解除釦と兼用されていることを特徴とする請求項２記載の監視制御装置。
【請求項５】
前記パネルユニットは、前記電源回路からの電力供給を受けて点灯する点灯表示部を有することを特徴とする請求項１ないし請求項４のいずれか１項に記載の監視制御装置。
【発明の詳細な説明】
【技術分野】
【０００１】
本発明は、通信によって負荷の監視制御を行う遠隔監視制御システムに用いられる監視制御装置に関するものである。
【背景技術】
【０００２】
従来から、負荷の遠隔監視制御を行うために信号線を通してスイッチのオンオフ情報を含む伝送信号を伝送し、負荷の電源を入切するリレーを伝送信号によって開閉させる技術が知られている。
【０００３】
この種の遠隔監視制御システムとしては、スイッチを有する操作端末器と負荷への電源を入切するリレーを有する制御端末器とを端末装置として備え、伝送ユニットをセンタ装置として備えた集中制御型のものがある。操作端末器および制御端末器はそれぞれ複数台ずつ設けられていてもよい。伝送ユニットと操作端末器と制御端末器とは２線式の信号線に接続されており、操作端末器および制御端末器に個別に設定されている端末アドレスを用いて伝送ユニットが操作端末器および制御端末器を各別に認識する。
【０００４】
伝送ユニットは、操作端末器と制御端末器とをアドレスによって対応付けたデータテーブルである制御テーブルを格納したメモリを備えている。この伝送ユニットは、いずれかの操作端末器におけるスイッチのオンオフ情報が伝送信号（時分割多重伝送信号を用いている）を用いて通知されると、制御テーブルによって当該操作端末器に対応付けられている制御端末器に対して伝送信号を用いてリレーを開閉する指示を伝送する。この指示を受けた制御端末器においてリレーが開閉される。そのため、スイッチのオンオフに応じて負荷が制御されることになる。
【０００５】
ところで、上述した遠隔監視制御システムに操作端末器として用いられる監視制御装置として、複数の負荷を監視制御対象として通信コマンドを伝送する通信回路と、液晶表示器よりなる表示パネルと、表示パネルの画面に重ねて配置された透明なタッチスイッチからなる操作入力部とを備え、表示パネルの表示内容に関連付けられている操作入力部の操作入力に応じた負荷制御および負荷状態に応じた画面表示を行うものが提案されている（たとえば特許文献１参照）。
【０００６】
この監視制御装置は、表示パネルの表示内容（画面表示）および操作入力部の操作に対する応答（負荷制御）に関して任意に設定可能に構成されているため、設定内容に応じて操作入力部に種々の機能を持たせることができる。しかも、操作入力部の機能に合わせて表示パネルの表示内容を変更することができるから、限られたスペースで多機能の操作が可能になり、多数の負荷を操作する場合であっても操作端末器の占有スペースを小さくすることができる。
【０００７】
さらに、この種の監視制御装置に関しては、壁に固定される本体ユニットと、本体ユニットの前面側に着脱可能に装着されるパネルユニットとに分割し、本体ユニット側に、電源回路と信号線が接続される通信回路とを備え、パネルユニット側に、表示パネルと操作入力部と制御部とを備えることが考えられる。この構成では、パネルユニットは、本体ユニットの前面側に設けられているコネクタと電気的に接続されるコネクタを有し、本体ユニットへの装着時に両コネクタを介して電源回路から電力供給を受けて動作する。これにより、本体ユニットとパネルユニットとが個別に交換可能となり、たとえばパネルユニットのみを変更することで表示パネルの画面サイズの異なる監視制御装置を構成することができる。
【先行技術文献】
【特許文献】
【０００８】
【特許文献１】特開平１０−２４３４７８号公報
【発明の概要】
【発明が解決しようとする課題】
【０００９】
ところで、上述の構成においては、監視制御装置のメンテナンス時などに本体ユニットからパネルユニットが取り外されることがある。本体ユニットからパネルユニットが取り外されると、両コネクタ間の接続が解除されるため本体ユニットの電源回路からパネルユニットへの電力供給は停止するが、このとき、サージ電流などのノイズが発生することがある。そのため、パネルユニットの動作中、たとえばパネルユニット内のＣＰＵがフラッシュメモリ等の記憶領域へデータ書き込み中に本体ユニットからパネルユニットが取り外されると、サージ電流などのノイズに起因してＣＰＵの故障等の不具合を生じる可能性がある。
【００１０】
本発明は上記事由に鑑みて為されたものであって、パネルユニットの取り外し前にパネルユニットへの電力供給を停止することで、本体ユニットからパネルユニットを取り外すときにサージ電流などのノイズに起因して故障等の不具合が生じることを回避できる監視制御装置を提供することを目的とする。
【課題を解決するための手段】
【００１１】
請求項１の発明は、通信によって負荷の監視制御を行う遠隔監視制御システムに用いられ、壁に固定される本体ユニットと、本体ユニットの前面側に着脱可能に装着されるパネルユニットとに分割され、本体ユニットには、駆動用電力を出力する電源回路と、複数の負荷を監視制御対象として通信コマンドを伝送する通信回路とを備え、パネルユニットには、文字および図形を表示可能な表示パネルと、ユーザによる操作入力を受け付ける操作入力部と、表示パネルの表示内容に関連付けられている操作入力部の操作入力に応じた負荷制御および負荷状態に応じた画面表示を表示パネルに行わせる制御部とを備えた監視制御装置であって、パネルユニットが、本体ユニットの前面側に設けられているコネクタと電気的に接続されるコネクタと、所定の操作入力を受け付ける終了操作部とを有し、本体ユニットへの装着時に両コネクタを介して電源回路から電力供給を受け、本体ユニットが、パネルユニットの装着時において終了操作部での所定の操作入力に応答して電源回路からパネルユニットへの電力供給を停止する通電制御手段を有することを特徴とする。
【００１２】
この構成によれば、本体ユニットの通電制御手段は、パネルユニットの装着時において終了操作部での所定の操作入力に応答して電源回路からパネルユニットへの電力供給を停止するので、パネルユニットを本体ユニットから取り外す前に、パネルユニットへの電力供給を停止することができる。ここで、本体ユニットからパネルユニットが取り外される際に、パネルユニットへの電力供給が予め停止されていれば、両コネクタ間の接続が解除されても、サージ電流などのノイズが発生することはない。したがって、パネルユニットの取り外し時に、サージ電流などのノイズに起因して故障等の不具合が生じることを回避できるという利点がある。
【００１３】
請求項２の発明は、請求項１の発明において、前記終了操作部が前記パネルユニットのうち前記本体ユニットへ装着された状態で露出する一表面に操作子が設けられた終了用スイッチからなり、前記通電制御手段が、終了用スイッチの操作子が操作されたことによる操作入力に応答してパネルユニットへの電力供給を停止することを特徴とする。
【００１４】
この構成によれば、作業者は、本体ユニットからパネルユニットを取り外すときに、パネルユニットの一表面に設けられた操作子を操作するだけで、通電制御手段にてパネルユニットへの電力供給を停止することができる。なお、終了用スイッチは、たとえば操作子が押操作される押釦スイッチであってもよいし、操作子をスライドさせるスライドスイッチなどでもよい。
【００１５】
請求項３の発明は、請求項１の発明において、前記操作入力部が前記終了操作部に兼用されていることを特徴とする。
【００１６】
この構成によれば、操作入力部と別に終了操作部を設ける必要がないので、終了操作部を設けることによる部品点数の増加を抑制でき、構造を単純化することができる。
【００１７】
請求項４の発明は、請求項２の発明において、前記パネルユニットが、前記本体ユニットに対して機械的に結合されるとともに解除釦の操作によって前記結合が解除される取付手段を有し、解除釦がパネルユニットのうち前面と交差する周面に設けられており、前記終了用スイッチの前記操作子が解除釦と兼用されていることを特徴とする。
【００１８】
この構成によれば、解除釦がパネルユニットのうち前面と交差する周面に設けられているので、作業者は本体ユニットからパネルユニットを取り外すときに、パネルユニットの周面のうち解除釦が設けられた部分を掴むようにすれば、本体ユニットとの結合が解除された際パネルユニットを支持することができる。そして、終了用スイッチの操作子が解除釦と兼用されているので、パネルユニットを取り外す際には必然的に操作子が操作されることとなり、終了操作部を意識的に操作することなく、通電制御手段にてパネルユニットへの電力供給を停止することができる。そのため、パネルユニットへの電力供給が停止される前に本体ユニットからパネルユニットが取り外されることを回避できるという利点がある。
【００１９】
請求項５の発明は、請求項１ないし請求項４のいずれかの発明において、前記パネルユニットが、前記電源回路からの電力供給を受けて点灯する点灯表示部を有することを特徴とする。
【００２０】
この構成によれば、作業者は、点灯表示部が消灯したことをもってパネルユニットへの電力供給の停止を知ることができるので、確実にパネルユニットへの電力供給が停止してからパネルユニットを取り外すことが可能になる。
【発明の効果】
【００２１】
本発明は、パネルユニットに設けられている終了操作部での所定の操作入力に応答して通電制御手段が電源回路からパネルユニットへの電力供給を停止するので、本体ユニットからパネルユニットを取り外す際に、パネルユニットへ電力供給がされている状態で両コネクタ間の接続が解除されることにより生じ得る故障等の不具合を回避できるという利点がある。
【図面の簡単な説明】
【００２２】
【図１】本発明の実施形態１の構成を示す概略ブロック図である。
【図２】同上を用いた遠隔監視制御システムの構成を示す図である。
【図３】同上の概略ブロック図である。
【図４】同上の斜視図である。
【図５】同上の本体ユニットとパネルユニットとを分離した状態を示す斜視図である。
【図６】同上のパネルユニットを背面側から見た斜視図である。
【図７】本発明の実施形態２の構成を示す斜視図である。
【発明を実施するための形態】
【００２３】
以下の実施形態において説明する監視制御装置は、図２に示す遠隔監視制御システムに操作端末器として用いられるものである。この遠隔監視制御システムの基本構成は背景技術の欄で説明した遠隔監視制御システムと同様である。
【００２４】
具体的に説明すると、図２の例では、負荷Ｌとして白熱灯Ｌ１、インバータ式の点灯装置を有した蛍光灯Ｌ２、空調機のファンコイルＬ３、スピーカＬ４を備えている。白熱灯Ｌ１は、灯数に応じた容量の白熱灯調光用制御端末器（１５００Ｗ，８００Ｗ，５００Ｗ）３３Ａ〜３３Ｃにより制御される。蛍光灯Ｌ２は、点灯・消灯を制御するリレーを有した制御端末器３３Ｄおよび光出力を制御する蛍光灯調光用制御端末器３３Ｅにより制御される。ファンコイルＬ３はファンコイル制御端末器３３Ｆにより動作強度が強中弱の３段階に制御され、スピーカＬ４はボリューム制御端末器３３Ｇにより音量が制御される。その他の負荷として電動カーテン、電動スクリーン、換気用のファンなどを用いることも可能である。
【００２５】
操作端末器としては、スイッチＳ０を備えた操作端末器３１Ａ、および調光用操作端末器３１Ｂ，３１Ｃ、接点出力が得られる各種センサを接続する接点入力操作端末器３１Ｄが設けられる。さらに、ワイヤレス送信器３４ａに操作部を設け、ワイヤレス受信機３４ｂと組み合わせることで操作端末器を構成することができる。また、信号線Ｌｓを延長するために図示例では信号線Ｌｓ上に中継器（増幅器）３５を挿入して伝送信号を減衰させずに伝送できるようにしてある。操作端末器としての監視制御装置１Ａ，１Ｂ（以下、両者を区別しないときは単に監視制御装置１という）は図示例では２台接続してあり、一方の監視制御装置１Ａには、商用電源（たとえば交流１００Ｖ）を降圧して出力する降圧トランスであるリモコントランス３６から交流２４Ｖの電源が供給されている。以下、操作端末器１Ａ，１Ｂ，３１Ａ〜３１Ｄを区別しないときには単に操作端末器３１とし、制御端末器３３Ａ〜３３Ｇを区別しないときには単に制御端末器３３とする。
【００２６】
ここでは、伝送ユニット３０が伝送信号を信号線Ｌｓに定期的に送出しており、伝送信号としてはたとえば±２４Ｖの双極性のパルス幅変調信号が用いられる。監視制御装置１以外の操作端末器３１および制御端末器３３では、この伝送信号を全波整流することによって内部電源を確保している。また、伝送ユニット３０には商用電源によって電源が供給されている。
【００２７】
ここに、各操作端末器３１はそれぞれ複数回路の入力部（スイッチＳ０、センサ等）を有し、また各制御端末器３３にはそれぞれ複数回路の負荷Ｌが接続される。伝送ユニット３０に設けた制御テーブルでは入力部および負荷Ｌの回路別に対応付けが可能になっている。つまり、たとえば操作端末器３１Ａのように複数のスイッチＳ０を有する場合、操作端末器３１Ａに固有の端末アドレスだけでは、当該操作端末器３１Ａに設けられたスイッチＳ０が全て該当することになり、実際に操作された唯一のスイッチＳ０を特定することはできない。そこで、操作端末器３１Ａにおいては、それぞれスイッチＳ０ごとに負荷番号を割り振り、操作端末器３１の端末アドレスの後に負荷番号を付加したものをスイッチＳ０のアドレスとして用いることによって、実際に操作された唯一のスイッチＳ０を特定できるようにしてある。同様に、制御端末器３３においては負荷Ｌごとに負荷番号を割り振り、各制御端末器３３の端末アドレスの後に負荷番号を付加したものを負荷Ｌのアドレスとする。なお、１台の制御端末器３３に接続される複数の負荷Ｌで１つの負荷回路を構成してもよく、この場合には各制御端末器３３の端末アドレスが負荷Ｌのアドレスとして用いられる。
【００２８】
ところで、制御テーブルでは、スイッチＳ０と負荷Ｌとを一対一に結びつけるほか、一対多に結びつけることも可能になっている。たとえば、上記遠隔監視制御システムにて負荷Ｌとしての蛍光灯Ｌ２への電源を入切するとすれば、伝送ユニット３０では、１個のスイッチＳ０で１回路の蛍光灯Ｌ２の点灯と消灯とを行う個別制御と、１個のスイッチＳ０で複数回路の蛍光灯Ｌ２の点灯と消灯とを一括して行う一括制御との設定が可能になっている。言い換えると、個別制御は１指示で１回路の負荷Ｌを制御することを意味し、一括制御は１指示で複数回路の負荷Ｌを制御することを意味する。このような一括制御には、グループ制御とパターン制御とがある。グループ制御では、制御対象となる負荷Ｌの範囲をスイッチＳ０に予め対応付けておき、１個のスイッチＳ０の操作によって当該範囲の負荷Ｌを一括してオンまたはオフにする。パターン制御では、制御対象となる負荷Ｌのアドレスの範囲と各アドレスに対応する負荷Ｌのオンとオフとの別とをスイッチＳ０に予め対応付けておき、１個のスイッチＳ０の操作によって当該範囲の負荷Ｌをそれぞれオンまたはオフにする。
【００２９】
上述したグループ制御あるいはパターン制御を行うため、伝送ユニット３０の制御テーブルにおいては、グループ制御あるいはパターン制御を行うスイッチＳ０に対応するグループ番号またはパターン番号に、制御対象となる範囲の負荷Ｌのアドレスを対応付けてある。そして、グループ制御あるいはパターン制御を行うスイッチＳ０が操作されたときに、伝送ユニット３０では、制御テーブルと照合することにより制御対象となる負荷Ｌのアドレスを展開し、さらに負荷Ｌのオンおよびオフの状態を決定した後、制御テーブルの参照により得られたアドレスを持つ制御端末器３３に指示を与える。
【００３０】
すなわち、たとえば会議室のように多数の負荷Ｌが存在する場所で各負荷Ｌの動作を個別制御しようとすると、多数のスイッチＳ０が必要となり、操作端末器３１の占有スペースが大きくなるという問題がある。ここで、グループ制御やパターン制御を行えば、複数の負荷Ｌの個々の動作を１つのスイッチ操作で制御することが可能である。
【００３１】
ここにおいて、グループ制御を行うには、どの負荷Ｌを一括して制御するかを予め設定する必要があり、パターン制御を行うには、どの負荷Ｌをどのような状態に制御するかを予め設定する必要がある。以下の実施形態で説明する監視制御装置１では、表示パネルの表示内容に関連付けられている操作入力部の操作に応答して負荷を制御する操作モードと、負荷制御（グループ制御やパターン制御の内容）に関する設定を行う設定モードとが切替可能になっている。
【００３２】
以下に、上述の遠隔監視制御システムの動作について簡単に説明する。
【００３３】
伝送ユニット３０は、常時、端末アドレスをサイクリックに変更した伝送信号を周期的に信号線Ｌｓに送出する常時ポーリングを行っている。伝送信号には、信号送出開始を示すスタートパルス、信号モードを示すモードデータ、操作端末器３１や制御端末器３３を各別に呼び出すための端末アドレスを伝送するアドレスデータ、負荷Ｌを制御するための制御データを伝送する制御データ（負荷番号を含む）、伝送エラーを検出するためのチェックサムデータ、操作端末器３１や制御端末器３３からの返送信号を受信するタイムスロットである信号返送期間を含む双極性の信号を用いている。
【００３４】
いずれかの操作端末器３１においてスイッチ操作等による監視入力が発生すると、当該操作端末器３１は伝送信号のスタートパルスに同期する割込信号を信号線Ｌｓに送出する。割込信号を発生した操作端末器３１は割込フラグを設定したラッチ状態になる。一方、伝送ユニット３０は割込信号を検出すると、モードデータをサーチモードとした伝送信号を送出する。ラッチ状態になっている操作端末器３１は、サーチモードの伝送信号を受信すると信号返送期間において端末アドレスを返送し、端末アドレスを受け取った伝送ユニット３０は、当該端末アドレスの操作端末器３１にラッチ状態の返送を要求する伝送信号を伝送し、ラッチ状態か否かを確認することによって割込信号を発生した操作端末器３１であることを確認する。割込信号を発生した操作端末器３１であることが確認されると、ラッチ状態を解除させる伝送信号を伝送し、当該操作端末器３１のラッチ状態を解除させる。
【００３５】
伝送ユニット３０は、上述の動作によって操作端末器３１からの要求を受け取ると、制御テーブルに従って当該操作端末器３１に対応付けられた制御端末器３３に対して負荷Ｌの制御を要求する。次に、制御対象である負荷Ｌの状態を確認するための伝送信号を送出し、制御端末器３３から負荷状態を返送させる。制御端末器３３から受け取った負荷状態は、伝送ユニット３０で確認され、現状の負荷状態がオフであれば負荷状態をオンに反転させる内容の伝送信号を監視入力があった操作端末器３１に送信するとともに、制御端末器３３にも同内容の伝送信号を送信する。なお、制御端末器３３を制御する内容の伝送信号を操作端末器３１にも伝送するのは、操作端末器３１に設けたオンオフ表示用の表示灯などの表示状態に反映させるためである。負荷状態を指示する伝送信号を受け取った制御端末器３３は、受信確認を返送する。
【００３６】
以上説明した遠隔監視制御システムでは、操作端末器３１のスイッチＳ０が操作されると、伝送ユニット３０においてこのスイッチＳ０のアドレス（端末アドレス＋負荷番号）が制御テーブルで照合され、スイッチＳ０との対応関係が設定されている負荷Ｌに接続された制御端末器３３に対して、負荷Ｌの制御を指示する伝送信号が伝送ユニット３０から伝送される。このような動作によって、スイッチＳ０のオンオフ情報を負荷Ｌの制御に反映させることができる。
【００３７】
（実施形態１）
本実施形態の監視制御装置１は、図３に示すように、液晶表示器にバックライトを一体化した表示パネル２と、表示パネル２の画面（前面）に重ねて配置された透明な板状のタッチスイッチからなる操作入力部３とを備えている。表示パネル２には多数の画素を縦横にマトリクス状に配列したマトリクス表示型のものを用い、画素の組み合わせによって図形を表示するようになっている。操作入力部３は、透明なシート状部材に透明電極からなる接点部を多数個配列し、シート状部材に指などが触れた際にどの部位に触れたのかを出力する抵抗感圧方式のタッチスイッチであり、表示パネル２と共にタッチパネルディスプレイを構成する。
【００３８】
この監視制御装置１は、伝送ユニット３０に接続された信号線Ｌｓに接続され伝送信号（通信コマンド）を授受する通信回路１１を備えている。通信回路１１は制御部としてのメインマイコン１２に接続され、メインマイコン１２は、監視制御装置１の内蔵メモリとして設けられたフラッシュメモリ１３に書き込まれているプログラムおよびデータに従って動作する。フラッシュメモリ１３には少なくとも操作端末器３１としてのアドレスが書き込まれる。
【００３９】
さらにフラッシュメモリ１３には、少なくともＳＤメモリカード（登録商標）からなるメモリカードＭＣ（図６参照）のデータをコピーするための領域が確保されている。メモリカードＭＣは、後述するパネルケースの側面に開口した挿入口８１（図６参照）から導入され、ソケット４に対して着脱自在に装着される。このメモリカードＭＣには、表示パネル２の画面表示および負荷制御に関する設定情報が記憶されており、当該設定情報を用いて各種設定が行われることで設定作業を簡略化することができる。
【００４０】
メインマイコン１２は、表示パネル２の表示内容を指示するデータをラッチ回路１４を通して液晶コントローラ１５に出力する。液晶コントローラ１５は、ＤＲＡＭ１６に予め登録してあるデータを用いて表示パネル２の所定位置に所定の内容を表示する。なお、表示パネル２のコントラストやバックライトの明るさは、メインマイコン１２がコントラスト調整部１７やバックライト用インバータ回路１８を制御することによって自動的に調節される。さらに、メインマイコン１２は操作入力部３の操作に応じてブザー１９を鳴動させる機能を有している。
【００４１】
ところで、本実施形態の監視制御装置１は、図４に示すように略直方体状の器体５を備え、埋込型の配線器具と同様に、器体５の後部を壁内に埋め込む形で壁に取り付けられる。この監視制御装置１は、後部が壁内に埋め込まれる形で壁に固定される本体ユニット６と、前部を壁面から前方に突出させる形で本体ユニット６の前面側に着脱可能に装着されるパネルユニット７とに分離される（図５参照）。以下では、監視制御装置１を壁に取り付けた状態での上下左右を上下左右として監視制御装置１の構成を説明する。
【００４２】
ここに、監視制御装置１の内部回路は、本体ユニット６とパネルユニット７とに分割して設けられている。本実施形態では、内部回路に直流電源を供給する電源回路１０（図３参照）と通信回路１１とは本体ユニット側に設けられ、その他の回路（表示パネル２と操作入力部３とメインマイコン１２とを含む）はパネルユニット７側に設けられている。
【００４３】
本体ユニット６は、図５に示すように、前面に矩形状の開口部を有する箱状に形成された本体ボディ６１と、本体ボディ６１の前面に覆着される本体カバー６２とで構成される本体ケース６０を具備し、種々の電気部品が実装されている回路基板（図示せず）が本体ケース６０内に収納された構成を有する。本体ユニット６は、電源供給用の電源線が接続される電源端子部Ｔ１（図１参照）と、信号線Ｌｓが接続される信号端子部Ｔ２（図１参照）とを背面側に備えている。
【００４４】
パネルユニット７は、前面に矩形状の開口部を有する薄箱状に形成されたパネルボディ７１と、パネルボディ７１の前面に覆着されるパネルカバー７２とで構成されるパネルケース７０を具備し、メインマイコン１２など種々の電気部品が実装されている回路基板（図示せず）がパネルケース７０内に収納された構成を有する。さらに、パネルユニット７は、パネルケース７０の前壁の一部に矩形状の表示窓７４が形成されており、表示パネル２および操作入力部３を表示窓７４内に備えている。パネルケース７０の前壁における表示窓７４の下方においては、左右方向の中央部に機械スイッチ（図示せず）を操作するための操作部７５が設けられ、当該操作部７５の左側方にＬＥＤ７７（図３参照）からの光を取り出すためのＬＥＤ窓７６が設けられている。ＬＥＤ７７はパネルユニット７への通電中であれば常時点灯し、室内が暗いときなどに監視制御装置１の位置をユーザに示す機能を持つ。
【００４５】
機械スイッチは、たとえば操作入力部３の操作を強制的に無効にするために設けられる。つまり、機械スイッチが押操作されると以降は操作入力部３の操作が無効になって、パネルユニット７前面の拭き掃除などを行う際に操作入力部３が誤操作されることを回避可能となる。この状態で機械スイッチが再度押操作されると、以降は操作入力部３の操作が有効となる。
【００４６】
ここで、本実施形態の監視制御装置１は、壁面からの器体５の突出量を小さく抑え、且つ、一般に普及している埋込型の配線器具との外観上の統一感を出すとともに、取り付けに用いる部材の低コスト化を図るために、壁内に設置された埋込型の配線器具用の埋込ボックス（図示せず）を用いて壁に取り付けられる。
【００４７】
本体ユニット６は、壁面に設けた施工孔を通して前方から埋込ボックスに取り付けられるのであって、本体ケース６０が後部を埋込ボックス内に収納可能な形状および寸法に形成されている。また、本実施形態では、本体ユニット６の本体ケース６０は１連用の取付枠（図示せず）を２個まで取付可能な埋込ボックスに対応する大きさに形成されている。ここでいう１連用の取付枠とは、埋込型の配線器具用にＪＩＳで規格化されている単位寸法の配線器具を幅方向（上下方向）に３個並べて取付可能な取付枠を意味しており、１連用の取付枠が左右方向に２個連接された寸法を「２連用」と呼ぶ。すなわち、本実施形態の本体ユニット６は２連用の埋込ボックスに取付可能な寸法に設定される。
【００４８】
より具体的に説明すると、本体ケース６０は、上下方向の各端面のそれぞれから互いに離れる向きに延設された一対の取付片６３を連続一体に有する。一対の取付片６３は、本体ケース６０の前端部から上下方向に突出する形で設けられており、本体ケース６０の左右方向の略全長にわたって形成される。各取付片６３には、埋込型の配線器具を埋込ボックスに固定する際に用いられる取付枠と同様に、取付ねじを挿通するボックス用孔６４がそれぞれ複数個（ここでは２個）ずつ形成されている。なお、上下方向において取付片６３におけるボックス用孔６４の外側には、器体５の前端部の周囲に取付片６３を覆う形で取着される化粧プレート（図示せず）をねじ固定するためのプレート取付孔６５が形成されている。
【００４９】
本体ケース６０とパネルケース７０とのそれぞれには、互いに係合することで本体ユニット６にパネルユニット７を結合する取付手段が設けられている。本体ケース６０は、図５に示すように、前面に嵌合凹所６６を有し、嵌合凹所６６の左右各側面に設けた係止孔６７を取付手段として備えている。嵌合凹所６６はその底面が壁面よりも後方となるように深さ寸法が設定されており、係止孔６７は上下方向に２個ずつ並設されている。
【００５０】
パネルケース７０においては、図６に示すように、背面側に突出し嵌合凹所６６に嵌合する嵌合突部７８を有し、嵌合突部７８の左右各側面に設けた係止片７９を取付手段として備えている。係止片７９は、嵌合突部７８を嵌合凹所６６に嵌合させた状態で係止孔６７に対応する各位置に設けられており、その先端部からパネルケース７０外側に突出した係止爪７９ａを係止孔６７に対して挿抜自在とする片持ち梁型のスナップフィット形状からなる。これにより、嵌合突部７８が嵌合凹所６６に嵌合されると、係止片７９はその先端部に設けた係止爪７９ａを係止孔６７に挿入することによって係止孔６７と係合し、本体ユニット６にパネルユニット７が機械的に結合される。
【００５１】
メモリカードＭＣ挿抜用の挿入口８１は、パネルケース７０のうち嵌合突部７８の左側面（背面側から見て右側の側面）であって、本体ユニット６およびパネルユニット７を壁に取り付けた状態で壁内に収まる位置に形成される。そのため、メモリカードＭＣの着脱は、パネルユニット７を本体ユニット６から外した状態で行うこととなる。
【００５２】
ここにおいて、パネルユニット７は前面の左右方向の寸法が本体ユニット６と略同等の大きさに形成され、上下方向の寸法が本体ユニット６よりやや小さく設定されている。そのため、パネルユニット７を本体ユニット６に装着した状態で、本体ユニット６の前面の全域がパネルユニット７に覆われることはなく、取付片６３のうちのプレート取付孔６５が形成された部分がパネルユニット７の上下両側に露出する。ただし、この露出した部分は取付片６３に化粧プレートを装着することで隠れることになる。ここに、パネルユニット７の厚み寸法（前後方向の寸法）は、化粧プレートを装着した状態で当該化粧プレートとパネルユニット７との壁面からの突出量が略同じになるように設定される。
【００５３】
また、パネルユニット７は、本体ユニット６を接続するためのパネル側コネクタ８０（図６参照）を背面側（嵌合突部７８の先端面）に有し、本体ユニット６はパネル側コネクタ８０に接続される本体側コネクタ６８（図５参照）を前面側（嵌合凹所６６の底面）に有し、パネル側コネクタ８０と本体側コネクタ６８とを互いに接続することにより、本体ユニット６とパネルユニット７とが互いに電気的に接続される。しかして、パネルユニット７は、本体ユニット６への装着時に本体側コネクタ６８とパネル側コネクタ８０とを介して電源回路１０から電力供給を受けて動作する。
【００５４】
ここに、本体側コネクタ６８とパネル側コネクタ８０との少なくとも一方は、器体５の前面に沿う面内において器体５に対して所定範囲で変位可能（上下左右に変位可能）な可動式のスタックコネクタからなる。これにより、本体ケース６０やパネルケース７０の寸法ばらつきや回路基板上の部品（コネクタ）実装位置のばらつきなどに起因して、本体側コネクタ６８とパネル側コネクタ８０との間に相対的な位置ずれが生じたとしても、本体ユニット６とパネルユニット７とを確実に接続することができる。なお、本体側コネクタ６８およびパネル側コネクタ８０としては、多数の接触子が左右方向に列設された横長形状のものを用いている。
【００５５】
ところで、本実施形態の監視制御装置１においては、図１に示すように、本体ユニット６にパネルユニット７が装着された状態で、パネルユニット７に設けられている終了操作部の操作に応じて電源回路１０から本体側コネクタ６８への通電状態を制御する通電制御手段２０を本体ユニット６に設けてある。ここでは、操作入力部３を終了操作部として兼用しており、通電制御手段２０は、操作入力部３で所定の操作入力があった場合に、本体側コネクタ６８への通電をオフしてパネルユニット７への電力供給を停止する。なお、図１では、パネルユニット７におけるメインマイコン１２およびその周辺回路を制御部２１として図示し、以下の説明に関係のない構成要素の図示を省略している。
【００５６】
通電制御手段２０は、電源回路１０と本体側コネク６８との間に挿入された通電スイッチ２２をオンオフ制御するものであって、操作入力部３が所定の操作入力を受けたときに操作入力部３で発生する終了信号を受けて通電スイッチ２２をオフする。通電スイッチ２２がオフすると、電源回路１０と本体側コネクタ６８との間が遮断されるので、電源回路１０から本体側コネクタ６８への通電が停止し、電源回路１０から本体側コネクタ６８およびパネル側コネクタ８０を通して行われるパネルユニット７への電力供給が停止する。なお、通電制御手段２０は、たとえばマイコンなどを用いて実現される。通電スイッチ２２は有接点スイッチ、無接点スイッチのいずれでもよい。
【００５７】
本実施形態では、操作入力部３から出力される終了信号は制御部２１を介して本体ユニット６内の通電制御手段２０に伝送されるようになっており、制御部２１は、操作入力部３からの終了信号を受けると、パネルユニット７の全ての動作を安全に停止する終了処理を実行する。通電制御手段２０は、終了信号を受けてすぐに通電スイッチ２２をオフするのではなく、終了信号を受けた後、制御部２１が終了処理を実行するための時間遅れをもって通電スイッチ２２をオフにする。これにより、終了処理が完了してパネルユニット７の動作を安全に停止してからパネルユニット７への電力供給を停止することができるので、たとえばフラッシュメモリ１３へのデータ書き込み中に通電が遮断されて書き込み中のデータが壊れるなどの事態を回避できる。なお、制御部２１が終了処理の最後のステップとして終了信号を通電制御手段２０に転送し、通電制御手段２０においては終了信号を受けてすぐに通電スイッチ２２をオフするようにしてもよい。
【００５８】
操作入力部３では、表示パネル２の表示に関連付けた操作が可能であって、たとえば表示パネル２に表示されたメニュー画面から終了用のアイコン（図形、記号）を選択することにより、終了処理を実行するか否かの選択画面に移行する。この選択画面で、終了処理を実行するアイコンが選択されると、制御部２１には操作入力部３から終了信号が入力され、制御部２１は終了処理を実行するとともに通電制御手段２０に終了信号を転送する。ここで、定常時にユーザが操作入力部３の操作を誤って終了処理が実行されることを避けるため、たとえば終了処理を実行するアイコンを選択する際に、既定のパスワードの入力が求められるような構成とすることが望ましい。なお、操作入力部３において終了信号を発生するための操作入力は、上述したものに限らず、たとえば所定の複数のアイコンに数秒間触れ続けるなどの操作入力であってもよい。
【００５９】
以上説明した構成によれば、監視制御装置１のメンテナンス時などでパネルユニット７を本体ユニット６から取り外す必要があるときには、予め操作入力部３にて上記終了信号を発生するための操作入力を行うことにより、パネルユニット７が取り外される前に予めパネルユニット７への電力供給を停止させることができる。したがって、パネルユニット７へ通電されている状態で、パネルユニット７が取り外されて両コネクタ６８，８０間の接続が解除されることにより、サージ電流などのノイズが発生することを回避できる。その結果、パネルユニット７の取り外しに際して、サージ電流などのノイズに起因して、パネルユニット７や本体ユニット６に故障が生じる不具合を回避することができる。
【００６０】
また、パネルユニット７の取り外し前に、電源回路１０から本体側コネクタ６８への通電を停止することによって、パネルユニット７を取り外した状態では、通電状態にある本体側コネクタ６８が外部に露出することを阻止できる。そのため、通電状態にある本体側コネクタ６８に異物が付着し、当該異物を介して電流が流れることによる本体ユニット６の故障等を防止できる。
【００６１】
さらに、上述したようにメモリカードＭＣの着脱はパネルユニット７を本体ユニット６から外した状態で行われるので、パネルユニット７に電力供給されている状態でメモリカードＭＣが着脱されることはない。そのため、メモリカードＭＣの着脱に際して、ソケット４に印加された電圧によるサージ電流などのノイズの発生を防止することができ、前記ノイズの影響でメモリカードＭＣが壊れることを回避できる。
【００６２】
ところで、本実施形態においては、本体ユニット６にパネルユニット７が装着されたことを検知する検知手段２３を本体ユニット６に設け、検知手段２３にてパネルユニット７の装着が検知されてから通電制御手段２０がパネルユニット７への電力供給を開始する構成を採用している。
【００６３】
本体ユニット６は、パネルユニット７内でパネル側コネクタ８０に接続されている検知用電路Ｌｅに対して両コネクタ６８，８０間の接続時に通電する検知用電源２４を有しており、検知手段２３は、検知用電源２４と本体側コネクタ６８との接続点の電位を監視することによってパネルユニット７の装着を検知する。
【００６４】
具体的に説明すると、ここでは本体側コネクタ６８およびパネル側コネクタ８０の接触子のうち、互いに対となる（互いに接触する）少なくとも１組の接触子を検知ピンＰ１ａ，Ｐ１ｂとし、本体ユニット６側の検知ピンＰ１ａを検知用電源２４に接続し、パネルユニット７側の検知ピンＰ１ｂを検知用電路Ｌｅに接続している。検知用電源２４は、検知用ピンＰ１ａにプルアップ抵抗を介して接続された正電位点Ｖｃを有する。さらに、検知用電路Ｌｅにおける検知ピンＰ１ｂと反対側の端部は回路グランドに接続されている。検知手段２３は、検知用電源２４と本体側コネクタ６８（検知ピンＰ１ａ）との接続点に接続されており、当該接続点の電位を検知入力として監視する。なお、図１では本体ユニット６―パネルユニット７間のグランド接続（回路グランド同士の接続）用の接触子の図示を省略する。
【００６５】
しかして、検知手段２３は、検知入力が規定値以上（Ｈレベル）であれば、検知ピンＰ１ａ，Ｐ１ｂ同士が接続されていないからパネルユニット７は装着されていないと判断する。一方、検知入力が規定値未満（Ｌレベル）であれば、検知ピンＰ１ａ，Ｐ１ｂ同士が接続されているからパネルユニット７は装着されていると判断する。通電制御手段２０は、パネルユニット７が装着されたと検知手段２３にて判断されたときに、検知手段２３から開始信号を受けて通電スイッチ２４をオンする。通電スイッチ２４がオンすると、電源回路１０から本体側コネクタ６８への通電が開始するので、本体側コネクタ６８およびパネル側コネクタ８０を通して電源回路１０からパネルユニット７への電力供給が開始する。なお、検知手段２３は、たとえばマイコンなどを用いて実現される。
【００６６】
この構成により、パネルユニット７を取り外す際に電源回路１０から本体側コネクタ６８への通電を停止させても、その後、パネルユニット７を再び装着することで、本体側コネクタ６８への通電を自動的に再開してパネルユニット７への電力供給を開始することができる。しかも、パネルユニット７を本体ユニット６に装着する際、両コネクタ６８，８０間の接続が検知手段２３で検知されるまでは、電源回路１０と本体側コネクタ６８との間は遮断されることとなり、非通電状態にある本体側コネクタ６８にパネル側コネクタ８０を接続することができる。その結果、パネルユニット７を装着する際、両コネクタ６８，８０の相対的な位置がずれた状態で両コネクタ６８，８０の接触子同士が接触したり、各コネクタ６８，８０において接触子ごとに他方のコネクタ６８，８０の接触子と接触するタイミングにばらつきを生じたりすることがあっても、異常な電流が流れたり、回路間で通電開始のタイミングに時間差が生じたりすることはない。
【００６７】
なお、本体ユニット６の電源回路１０は、たとえばメインマイコン１２とその周辺回路（インタフェース回路等）とのそれぞれに対して別系統の電源を供給する場合のように、パネルユニット７に対して電圧値の異なる複数系統の電源を供給する場合がある。このような場合に、各電源の供給路上にそれぞれ通電スイッチ２４を設け、通電制御手段２０が各通電スイッチ２４を個別に制御する構成とすることが望ましい。これにより、各電源ごとに通電開始のタイミングに時間差（タイムラグ）を付与することができ、たとえばメインマイコン１２への通電を行ってから、遅れてその周辺回路に通電を開始するということが可能となる。
【００６８】
また、本実施形態では、監視制御装置１の位置表示用としてパネルユニット７に設けたＬＥＤ７７を、パネルユニット７への通電状態を示す点灯表示部に兼用している。すなわち、ＬＥＤ７７は、電源回路１０からパネルユニット７への通電中には電源回路１０からの電力供給を受けて常時点灯するものであるから、このＬＥＤ７７の点灯状態によってパネルユニット７への通電状態を確認することができる。したがって、作業者は、パネルユニット７を取り外す際に、ＬＥＤ７７が消灯したことをもってパネルユニット７への電力供給が停止したことを知ることができるため、確実にパネルユニット７への電力供給が停止してからパネルユニット７を取り外すことができる。ここで、制御部２１が終了処理を実行中においてはＬＥＤ７７の点灯パターンを変化させる（たとえば点滅させる）ことにより、終了処理実行中であることを作業者に知らせるようにしてもよい。
【００６９】
（実施形態２）
本実施形態の監視制御装置１は、図７に示すように、パネルユニット７の終了操作部として押釦スイッチからなる終了用スイッチＳＷを操作入力部３とは別に設け、当該終了用スイッチＳＷの操作に応じて終了信号が発生する構成とした点が実施形態１の監視制御装置１と相違する。
【００７０】
終了用スイッチＳＷの操作子８２は、パネルケース７０のうち、本体ユニット６にパネルユニット７を装着した状態で本体ユニット６の前面よりも前方となる部位の右側面に設けられ、この操作子８２が押操作されることによって終了信号が発生する。したがって、作業者はパネルユニット７を本体ユニット６から取り外すときに、パネルケース７０のうち操作子８２が設けられた部分を掴むようにすることで、操作入力部３で面倒な操作をしなくても、両コネクタ６８，８０間の接続が解除される前に通電制御手段２０にてパネルユニット７への電力供給を停止することができる。
【００７１】
ここで、操作子８２を設ける位置は、パネルケース７０のうち前面と交差する周面であればよく、右側面に限るものではない。ただし、本実施形態では、パネルユニット７と本体ユニット６とが、嵌合突部７８の左右各側面に設けた係止片７９を本体ユニット６の係止孔６７に係合させて結合されるので、作業者は通常パネルユニット７を取り外す際、係止片７９と係止孔６７との係合を解除するためにパネルケース７０の左右両側を掴むことになる。そのため、操作子８２がパネルケース７０の左右いずれかの側面にあれば、作業者がパネルケース７０を掴むときに自然に操作子８２を操作させることができるという利点がある。
【００７２】
また、本実施形態の他の構成例として、本体ユニット６とパネルユニット７との間の機械的結合を解除釦の操作によって解除可能とした上で、当該解除釦に終了用スイッチＳＷの操作子８２を兼用することが考えられる。具体的には、たとえばパネルユニット７の係止片７９を解除釦と連動させ、解除釦の操作時に係止孔６７から係止爪７９ａが抜けるようにして、解除釦が操作されるまでは本体ユニット６―パネルユニット７間の結合が解除されない構造とする。このような構造では、パネルユニット７を外すためには解除釦の操作が必要となるため、解除釦に兼用されている終了用スイッチＳＷの操作子８２が必然的に操作される。つまり、パネルユニット７の取り外し時には、必ず操作子８２が操作されて通電制御手段２０によってパネルユニット７への電力供給が停止されることとなり、パネルユニット７への電力供給が停止していない状態でパネルユニット７が取り外されてしまうことを防止できる。
【００７３】
なお、終了用スイッチＳＷは押釦スイッチに限るものではなく、たとえば操作子８２をスライドさせるスライドスイッチなどであってもよい。
【００７４】
その他の構成および機能は実施形態１と同様である。
【００７５】
ところで、上記各実施形態では、本体ユニット６を埋込型とした監視制御装置１について説明したが、本体ユニット６は埋込型に限るものではなく、壁面に背面を対向させる形で壁に固定される露出型の本体ユニット６を備えた監視制御装置１に本発明を適用してもよい。
【符号の説明】
【００７６】
１  監視制御装置
２  表示パネル
３  操作入力部（終了操作部）
６  本体ユニット
７  パネルユニット
１０  電源回路
１１  通信回路
１２  メインマイコン（制御部）
２０  通電制御手段
２２  通電スイッチ
６８  本体側コネクタ
７７  ＬＥＤ（点灯表示部）
８０  パネル側コネクタ
８２  操作子
ＳＷ  終了用スイッチ
【図１】
2010187224.tif 000003
【図２】
2010187224.tif 000004
【図３】
2010187224.tif 000005
【図４】
2010187224.tif 000006
【図５】
2010187224.tif 000007
【図６】
2010187224.tif 000008
【図７】
2010187224.tif 000009